(57)【要約】【課題】レーザ光源の寿命を延ばした映像表示装置を提供することを目的とする。【解決手段】映像表示装置１０１は、表示画像の映像ＶＭを観察者ＳＴに観察させる装置であって、レーザ光Ｌｃを出射するレーザ光源ＬＤと、レーザ光源ＬＤに電力を供給するレーザ光源駆動部１４と、レーザ光Ｌｃの光強度を制御する光制御手段Ｍ１５と、レーザ光Ｌｃから所望の表示画像を生成する画像生成部１１と、を備え、光制御手段Ｍ１５が、光強度を検出する光強度検出部３５と、光強度検出部３５の検出結果に基づいて、レーザ光源駆動部１４の出力を制御する制御部５５と、レーザ光源駆動部１４から出力される電流値を検出する電流値検出部７５と、を有し、レーザ光源駆動部１４から出力される電流値が予め電流記憶部Ｋ５に格納されていた所定の制限電流値より大きくなった際に、制御部５５が、制限電流値以下の電流を出力して制御することを特徴とする。【選択図】図１
2015065392.tif 000002
【特許請求の範囲】
【請求項１】
レーザ光を出射するレーザ光源と、
該レーザ光源に電力を供給するレーザ光源駆動部と、
前記レーザ光の光強度を制御する光制御手段と、
前記レーザ光から所望の表示画像を生成する画像生成部と、を備え、
前記表示画像の映像を観察者に観察させる映像表示装置であって、
前記光制御手段は、前記光強度を検出する光強度検出部と、
該光強度検出部の検出結果に基づいて前記レーザ光源駆動部の出力を制御する制御部と、
前記レーザ光源駆動部から出力される電流値を検出する電流値検出部と、を有し、
前記電流値が予め電流記憶部に格納されていた所定の制限電流値より大きくなった際に、前記制御部は、前記制限電流値以下の電流を出力して制御することを特徴とする映像表示装置。
【請求項２】
前記レーザ光源が複数個設けられているとともに、複数個の前記レーザ光源に対応して、前記光制御手段が複数個設けられていることを特徴とする請求項１記載の映像表示装置。
【請求項３】
前記画像生成部は、前記レーザ光を回折させ映像光とするホログラフィック光学素子と、
該ホログラフィック光学素子からの前記映像光を導く光学部材と、を備え、
前記光強度検出部は、前記映像光の前記光強度を検出し、
前記光制御手段は、前記光強度検出部の検出結果に基づいて、前記レーザ光源駆動部の出力を制御することを特徴とする請求項１または請求項２に記載の映像表示装置。
【発明の詳細な説明】
【技術分野】
【０００１】
本発明は、コヒーレント光を用いた映像表示装置に関する。
【背景技術】
【０００２】
近年、レーザ光は、小型、高効率、高い指向性等の特徴を生かし、光記録装置、計測器、プリンタ、医療機器、事務機器等、幅広い分野で応用されてきた。特に、最近では、レーザ光をスクリーンや壁等の投射面に照射して画像を表示する映像表示装置、所謂レーザプロジェクタが、一般的に知られるようになってきた。また、レーザプロジェクタ以外の映像表示装置として、三次元ディスプレイやヘッドマウントディスプレイ（ＨＭＤ、Head Mounted Display）、ヘッドアップディスプレイ（ＨＵＤ、Head-Up Display）等へ適用されるようになってきた。
【０００３】
上述したレーザプロジェクタ（映像表示装置）として、特許文献１では、図６に示すように、マルチビーム走査装置９００が提案されている。図６は、従来例のマルチビーム走査装置９００を説明する上面図である。図６に示すマルチビーム走査装置９００は、赤色（Red）、緑色（Green）及び青色（Blue）のレーザ光源（ＬＤＲ、ＬＤＧ、ＬＤＢ）を有した光源ユニット９１０と、水平偏向ポリゴンミラー９３１を有した水平走査方向偏向ポリゴンモータユニット９３０と、ｆθレンズ９５０と、垂直偏向ポリゴンミラー９６１を有した垂直走査方向偏向ポリゴンモータユニット９６０と、を備えて構成される。
【０００４】
そして、図６に示すように、キャン（ＣＡＮ）パッケージタイプの赤色レーザ光源ＬＤＲ、緑色レーザ光源ＬＤＧ及び青色レーザ光源ＬＤＢから放射されたレーザ光は、プリズムユニット９１２により合成された後、水平偏向ポリゴンミラー９３１の反射面９３１ａに入射し、入射したレーザ光は、一定周期で水平方向走査（図６に示すＸ方向）が行われるように反射面９３１ａから出射される。次に、反射面９３１ａから出射されたレーザ光は、ｆθレンズ９５０を通過した後、垂直偏向ポリゴンミラー９６１の反射面９６１ａに入射し、入射したレーザ光は、一定周期で垂直方向走査（図６に示す紙面を貫く方向）が行われるように反射面９６１ａから出射される。そして、水平及び垂直に走査され反射面９６１ａから出射されたレーザ光は、この走査エリアを遮るように配置されたスクリーン９９０に表示画像として映し出される。
【先行技術文献】
【特許文献】
【０００５】
【特許文献１】特開２００４−２１９４８０号公報
【発明の概要】
【発明が解決しようとする課題】
【０００６】
このようなレーザ光源（ＬＤＲ、ＬＤＧ、ＬＤＢ）を用いたマルチビーム走査装置９００（映像表示装置）では、表示画像を視認する観察者のために、レーザ光源（ＬＤＲ、ＬＤＧ、ＬＤＢ）に流す電流値を調整して、表示画像の輝度を一定に保つようにしている。
【０００７】
しかしながら、レーザ光源（ＬＤＲ、ＬＤＧ、ＬＤＢ）が劣化することに伴い、同じ電流値でも輝度が徐々に低下するので、輝度を一定に保つために、流す電流値を高くしている。図５は、従来の映像表示装置における課題を説明する図であって、表示画像の輝度を一定に保った場合における、レーザ光源の発光時間とレーザ光源の電流値との関係を示したグラフである。図５に示すように、初期劣化が見られて電流値を上げた（図中に示すＡＡ領域）後、経過時間に伴いほぼ一定に電流値を徐々に上げている（図中に示すＢＢ領域）。更に、電流値を高くするほど、レーザ光源の劣化が加速される（図中に示すＣＣ領域）ので、レーザ光源の寿命が短くなるばかりでなく、ある時点で突然、発光しなくなる（図中に示すＥ点）という問題があった。
【０００８】
本発明は、上述した課題を解決するもので、レーザ光源の寿命を延ばした映像表示装置を提供することを目的とする。
【課題を解決するための手段】
【０００９】
この課題を解決するために、本発明の映像表示装置は、レーザ光を出射するレーザ光源と、該レーザ光源に電力を供給するレーザ光源駆動部と、前記レーザ光の光強度を制御する光制御手段と、前記レーザ光から所望の表示画像を生成する画像生成部と、を備え、前記表示画像の映像を観察者に観察させる映像表示装置であって、前記光制御手段が、前記光強度を検出する光強度検出部と、該光強度検出部の検出結果に基づいて前記レーザ光源駆動部の出力を制御する制御部と、前記レーザ光源駆動部から出力される電流値を検出する電流値検出部と、を有し、前記電流値が予め電流記憶部に格納されていた所定の制限電流値より大きくなった際に、前記制御部が、前記制限電流値以下の電流を出力して制御することを特徴としている。
【００１０】
これによれば、本発明の映像表示装置は、レーザ光源の劣化に伴ってレーザ光源に流す電流を高くしなければいけない場合でも、制限電流値以上の電流がレーザ光源に定常的に流れることがない。このことにより、電流値を高くすることによるレーザ光源の加速的な劣化を防止することができ、レーザ光源の寿命を延ばすことができる。
【００１１】
また、本発明の映像表示装置は、前記レーザ光源が複数個設けられているとともに、複数個の前記レーザ光源に対応して、前記光制御手段が複数個設けられていることを特徴としている。
【００１２】
これによれば、レーザ光源が複数個設けられているので、観察者により視認される映像の表現を豊かにすることができる。更に、複数個のレーザ光源に対応して光制御手段が複数個設けられているので、異なる色で異なる表示画像の面積であっても、それぞれの光制御手段によりそれぞれのレーザ光源への出力を調整し、表示される映像のそれぞれの光強度（輝度）を所望の値に保持することができる。
【００１３】
また、本発明の映像表示装置は、前記画像生成部が、前記レーザ光を回折させ映像光とするホログラフィック光学素子と、該ホログラフィック光学素子からの前記映像光を導く光学部材と、を備え、前記光強度検出部が、前記映像光の前記光強度を検出し、前記光制御手段が、前記光強度検出部の検出結果に基づいて、前記レーザ光源駆動部の出力を制御することを特徴としている。
【００１４】
これによれば、表示される表示画像に対応して、レーザ光源への出力を合わせることができ、表示画像の輝度調整を随時行うことができる。このため、目標の光強度（輝度）に対して正確に光強度（輝度）を合わせることができるとともに、光の利用効率を向上させることができる。このことにより、レーザ光源の劣化をより防止することができ、映像表示装置の寿命をより延ばすことができる。
【発明の効果】
【００１５】
本発明の映像表示装置は、レーザ光源の劣化に伴ってレーザ光源に流す電流を高くしなければいけない場合でも、制限電流値以上の電流がレーザ光源に定常的に流れることがない。このことにより、電流値を高くすることによるレーザ光源の加速的な劣化を防止することができ、レーザ光源の寿命を延ばすことができる。
【図面の簡単な説明】
【００１６】
【図１】本発明の第１実施形態の映像表示装置を説明する構成図である。
【図２】本発明の第１実施形態の映像表示装置における、制御方法を説明する図である。
【図３】本発明の第１実施形態の映像表示装置における、制御方法を説明する図であって、図２に示すＰ１部分の拡大図である。
【図４】本発明の第１実施形態の映像表示装置における、変形例を説明する図であって、図４（ａ）は、図３と比較した変形例１の図であり、図４（ｂ）は、図３と比較した変形例２の図である。
【図５】従来の映像表示装置における課題を説明する図であって、表示画像の輝度を一定に保った場合における、レーザ光源の発光時間とレーザ光源の電流値との関係を示したグラフである。
【図６】従来例のマルチビーム走査装置９００を説明する上面図である。
【発明を実施するための形態】
【００１７】
以下、本発明の実施の形態について図面を参照して説明する。
【００１８】
［第１実施形態］
図１は、本発明の第１実施形態の映像表示装置１０１を説明する構成図である。
【００１９】
本発明の第１実施形態の映像表示装置１０１は、図１に示すように、車両に搭載され、ヘッドアップディスプレイ（ＨＵＤ、Head-Up Display）として、使用される。
【００２０】
また、本発明の第１実施形態の映像表示装置１０１は、図１に示すように、レーザ光Ｌｃを出射するレーザ光源ＬＤと、レーザ光源ＬＤに電力を供給するレーザ光源駆動部１４と、レーザ光Ｌｃから所望の表示画像を生成する画像生成部１１と、レーザ光Ｌｃの光強度を制御する光制御手段Ｍ１５と、を備えて構成される。そして、光制御手段Ｍ１５によりレーザ光源ＬＤへの出力を調整し、その調整された映像光Ｌｆによる映像ＶＭを、フロントガラスＦＧを通して、観察者ＳＴに観察させる（視認させる）ようにしている。
【００２１】
映像表示装置１０１のレーザ光源ＬＤは、図１に示すように、本発明の第１実施形態では、赤色（Red）、緑色（Green）及び青色（Blue）と３色のレーザ光源ＬＤ（ＲＬＤ、ＧＬＤ、ＢＬＤ）が設けられている。また、詳細に図示はしていないが、赤色（Red）、緑色（Green）及び青色（Blue）を発光させるために、３種類の半導体レーザ素子を用いている。これにより、半導体レーザ素子を用いているので、高い可干渉性（コヒーレント）を有したレーザ光Ｌｃをレーザ光源ＬＤから出射させることができる。また、このようにレーザ光源ＬＤが複数個設けられているので（本発明の第１実施形態では３種類で３個）、観察者ＳＴにより視認される映像ＶＭの色を複数にすることができ、映像ＶＭの表現を豊かにすることができる。
【００２２】
また、半導体レーザ素子として、例えば、赤色の場合は６４２ｎｍの波長等の光を出射する素子が好適に用いられ、緑色の場合は５１５ｎｍの波長等の光を出射する素子が好適に用いられて、青色の場合は４４５ｎｍの波長等の光を出射する素子が好適に用いられている。
【００２３】
映像表示装置１０１のレーザ光源駆動部１４は、オペレーショナル・アンプリファイア(Operational Amplifier)が組み込まれた駆動回路であって、図１に示すように、それぞれのレーザ光源ＬＤ（ＲＬＤ、ＧＬＤ、ＢＬＤ）にレーザ光源駆動部１４Ｒ、レーザ光源駆動部１４Ｇ及びレーザ光源駆動部１４Ｂが接続されて、それぞれのレーザ光源ＬＤ（ＲＬＤ、ＧＬＤ、ＢＬＤ）を駆動している。
【００２４】
映像表示装置１０１の画像生成部１１は、レーザ光Ｌｃを回折させ映像光Ｌｆとするホログラフィック光学素子４１と、ホログラフィック光学素子４１からの映像光Ｌｆを導く光学部材ＯＰと、を備えて構成される。
【００２５】
ホログラフィック光学素子４１は、レーザ光源ＬＤからのレーザ光Ｌｃを回折させ映像光Ｌｆとする機能を有している。具体的には、本発明の第１実施形態では、位相変調方式ＬＣＯＳ（Liquid crystal on silicon）を用いており、この位相変調方式ＬＣＯＳに書き込まれた「ホログラムパターン」にコヒーレント光が照射されることによって、回折光が発生し、図１に示すフーリエレンズＦＬ１を通して、コヒーレント光である映像光Ｌｆとして出射されている。なお、「ホログラムパターン」には、光の強度と位相が記録されている。
【００２６】
また、ホログラフィック光学素子４１には、図１に示すように、ＬＣＯＳドライバ５１が接続されており、このＬＣＯＳドライバ５１は、中央演算処理装置７１により作成された「ホログラムパターン」を位相変調方式ＬＣＯＳに、随時書き込む機能を有している。なお、本発明の第１実施形態では、ホログラフィック光学素子４１を用いて所望の表示画像を生成しているので、表示される映像ＶＭの表示画像毎にレーザ光源ＬＤへの出力を合わせることができ、レーザ光源駆動部１４の出力調整を細かく行うことができる。つまり、表示画像の表示面積が違う場合、表示画像の表示面積に比例して、レーザ光源ＬＤに流す電流値を細かく設定することができる。これにより、目標の光強度（輝度）に対して正確に光強度（輝度）を合わせることができ、観察者ＳＴにより視認される映像ＶＭの品質を向上させることができる。更には、レーザ光源駆動部１４の出力調整を細かく行うことができるので、光の利用効率を向上させることができる。
【００２７】
光学部材ＯＰは、主に、ホログラフィック光学素子４１からの映像光Ｌｆを導く光学部品から構成され、本発明の第１実施形態では、図１に示すように、光路を変更する平面ミラー（１２、２２）と、光を集光またはコリメートする光学レンズ３２と、表示画面の表示範囲を規定するスリッタ５２と、コヒーレント光である映像光Ｌｆを拡散するディフューザ１３と、を有している。他に、レーザ光源ＬＤからのレーザ光Ｌｃを集光またはコリメートする光学レンズ４２も有している。
【００２８】
スリッタ５２は、映像光Ｌｆの照射範囲の殆どを通過させており、この通過した映像光Ｌｆに相当する範囲が、観察者ＳＴにより視認される映像ＶＭ（図１を参照）の表示範囲、つまり表示画像となる。
【００２９】
ディフューザ１３は、図１に示すように、スリッタ５２の光路の後側に配置され、透過する映像光Ｌｆを拡散している。また、ディフューザ１３には、ディフューザ１３を駆動する駆動部１３ｄが接続されており、ディフューザ１３を回転させている。これにより、コヒーレント光である映像光Ｌｆの指向性を低減させている。このことにより、コヒーレント光に起因するスペックルパターンを低減することができ、観察者ＳＴにより視認される映像ＶＭの品質を向上させることができる。ここで言うスペックルパターンとは、高い可干渉性（コヒーレント）を有した光が被照射物体にあたって散乱される際に、被照射物体上の各部分で散乱された散乱光同士が干渉することによって生じる微細な干渉縞のことを言う。なお、本発明の第１実施形態では、ディフューザ１３を回転させた構成にしたが、これに限るものではなく、例えば振動させて動かしても良い。
【００３０】
平面ミラー（１２、２２）や光学レンズ３２及び光学レンズ４２は、一般に使用されている光学部品を用いており、特別な仕様を有するものではない。なお、光学部材ＯＰとして、昼光の悪影響を防止するために、各種フィルタを用い、光路の途中に配置しても良いし、平面ミラー（１２、２２）の代わりに曲面ミラーを用いても良い。また、図１に示す光学部材ＯＰの組合せのみに限るものではない。
【００３１】
映像表示装置１０１の光制御手段Ｍ１５は、図１に示すように、光強度を検出する光強度検出部３５と、光強度検出部３５の検出結果に基づいてレーザ光源駆動部１４の出力を制御する制御部５５と、レーザ光源駆動部１４から出力される電流値を検出する電流値検出部７５と、を有して構成される。
【００３２】
光制御手段Ｍ１５の光強度検出部３５は、レーザ光である映像光Ｌｆの光強度を検出しており、図１に示すように、スリッタ５２の近傍に配置され、３個のレーザ光源ＲＬＤ、レーザ光源ＧＬＤ及びレーザ光源ＢＬＤに対応して、３個の光強度検出部３５Ｒ、光強度検出部３５Ｇ及び光強度検出部３５Ｂが設けられている。そして、それぞれの光強度検出部３５に照射される映像光Ｌｆに対して、赤色（Red）、緑色（Green）及び青色（Blue）の色毎に別個に光強度を検出している。この光強度検出部３５として、フォトダイオード（ＰＤ、Photodiode）を好適に用いている。
【００３３】
光制御手段Ｍ１５の制御部５５は、図１に示すように、３個のレーザ光源ＬＤ（ＲＬＤ、ＧＬＤ、ＢＬＤ）に対応してそれぞれ設けられた出力制御部１５（１５Ｒ、１５Ｇ、１５Ｂ）と、出力制御部１５を制御する集中制御部Ｃ５と、集中制御部Ｃ５に接続され所定の制限電流値が予め格納された電流記憶部Ｋ５と、を有して構成される。そして、制御部５５の集中制御部Ｃ５が光強度検出部３５（３５Ｒ、３５Ｇ、３５Ｂ）と接続されており、光強度検出部３５の検出結果に基づいて、制御部５５は、出力制御部１５（１５Ｒ、１５Ｇ、１５Ｂ）を制御して、レーザ光源駆動部１４（１４Ｒ、１４Ｇ、１４Ｂ）の出力を制御している。なお、集中制御部Ｃ５は、集積回路（ＩＣ、integrated circuit）を用いて構成している。
【００３４】
また、出力制御部１５（１５Ｒ、１５Ｇ、１５Ｂ）は、３個のレーザ光源ＬＤ（ＲＬＤ、ＧＬＤ、ＢＬＤ）のそれぞれに対応して設けられており、レーザ光源ＬＤに流れる電流を制御している。また、電流記憶部Ｋ５は、所定の制限電流値を格納するためのもので、例えばメモリーカード等を用いており、所定の制限電流値を自由に書き換えすることが可能となっている。なお、本発明の第１実施形態では、メモリーカード等の外部記憶装置を用いたが、集積回路（ＩＣ、integrated circuit）に電流記憶部Ｋ５の機能を設けても良い。
【００３５】
また、制御部５５の集中制御部Ｃ５には、図１に示すように、３個のレーザ光源ＬＤ（ＲＬＤ、ＧＬＤ、ＢＬＤ）に対応した電流値検出部７５（７５Ｒ、７５Ｇ，７５Ｂ）も接続されている。なお、この制御部５５は、光強度検出部３５の検出結果に基づいてレーザ光源駆動部１４（１４Ｒ、１４Ｇ、１４Ｂ）の出力を調整する機能の他に、レーザ光源ＬＤの発熱による温度変化に伴うレーザ光源ＬＤの出力変化に対しても調整する機能を有している。
【００３６】
光制御手段Ｍ１５の電流値検出部７５は、図１に示すように、制御部５５の集中制御部Ｃ５に接続されているとともに、３個のレーザ光源ＬＤ（ＲＬＤ、ＧＬＤ、ＢＬＤ）に対応したレーザ光源駆動部１４（１４Ｒ、１４Ｇ、１４Ｂ）に接続されている。そして、レーザ光源駆動部１４から出力される電流値を検出している。
【００３７】
以上のように構成された映像表示装置１０１は、光制御手段Ｍ１５により、レーザ光源ＬＤへの出力を調整し、表示される映像ＶＭの表示画像の変化に対して、表示される映像ＶＭの輝度を一定に保持し、観察者ＳＴに対して、快適に映像ＶＭを観察させるようにしている。特に、本発明の第１実施形態の映像表示装置１０１は、光制御手段Ｍ１５の制御部５５が３個のレーザ光源ＬＤ（ＲＬＤ、ＧＬＤ、ＢＬＤ）に流れる電流を制御して、３個のレーザ光源ＬＤ（ＲＬＤ、ＧＬＤ、ＢＬＤ）の寿命を延ばすようにしている。
【００３８】
この寿命を延ばす手段について、図２及び図３を用いて説明する。図２は、本発明の第１実施形態の映像表示装置１０１における、制御方法を説明する図である。図２の横軸は、レーザ光源ＬＤの発光時間を示し、図中に示す実線の縦軸はレーザ光源ＬＤの電流値を示し、図中に示す破線の縦軸は、レーザ光源ＬＤの光強度の目標値を示している。図３は、本発明の第１実施形態の映像表示装置１０１における、制御方法を説明する図であって、図２に示すＰ１部分の拡大図である。なお、図２及び図３は、３種類で３個のレーザ光源ＬＤ（ＲＬＤ、ＧＬＤ、ＢＬＤ）について説明した図であって、それぞれのレーザ光源ＬＤの場合、流れる電流値が異なるだけである。
【００３９】
光制御手段Ｍ１５の制御部５５は、レーザ光源ＬＤが最初に発光してからレーザ光源ＬＤの初期劣化が見られ、図２に示すように、レーザ光源ＬＤの発光時間の経過とともに、レーザ光源ＬＤの光強度を一定に保つため、レーザ光源ＬＤに流す電流を徐々に上げている。
【００４０】
その後、レーザ光源ＬＤの発光時間の経過とともに、図２及び図３に示すように、予め電流記憶部Ｋ５に格納されていた所定の制限電流値Ｒ１（図２中及び図３中に示す）を越えた電流を流して、レーザ光源ＬＤの光強度を一定に保つような制御が行われる。この際には、レーザ光源ＬＤの発光の状態により、所定の制限電流値Ｒ１を越えたり越えなかったりを繰り返すことが多く見られる。図３の例では、３回、所定の制限電流値Ｒ１を越えている。なお、所定の制限電流値Ｒ１は、レーザ光源ＬＤの種類に応じて一定値を決めて、電流記憶部Ｋ５に格納しておいても良いし、初期の電流値に対する割合を決めて（例えば初期の電流値の３０％増）、使用するレーザ光源ＬＤ毎にその値を電流記憶部Ｋ５に格納するようにしても良い。また、所定の制限電流値Ｒ１を越えたか越えなかったかの判断は、電流値検出部７５で検出した電流値との比較によって行われる。
【００４１】
次に、制御部５５は、所定の制限電流値Ｒ１を複数回越えたら（図３に示す例では３回）、レーザ光源ＬＤの光強度の目標値を下げて、レーザ光源ＬＤに流す電流を大幅に下げるようにしている。つまり、制限電流値Ｒ１以下の電流をレーザ光源駆動部１４から出力して制御している。なお、本発明の第１実施形態では、所定の制限電流値Ｒ１を複数回越えたら、レーザ光源ＬＤに流す電流を大幅に下げるようにしているので、何らかの要因で所定の制限電流値Ｒ１を一時的に越える場合を排除することができる。
【００４２】
次に、制御部５５は、新しく設定されたレーザ光源ＬＤの光強度の目標値になるように、レーザ光源ＬＤの発光時間の経過とともに、レーザ光源ＬＤに流す電流を再び徐々に上げている。
【００４３】
その後、ある時間が経過したら、図２に示すように、再び、予め電流記憶部Ｋ５に格納されていた所定の制限電流値Ｒ１を越えた電流を流して、レーザ光源ＬＤの光強度を一定に保つような制御が行われる（図２中に示すＰ２）。そして、制御部５５は、所定の制限電流値Ｒ１を複数回越えたら、レーザ光源ＬＤの光強度の目標値を更に下げて、レーザ光源ＬＤに流す電流を大幅に下げるようにしている。以後、制御部５５は、この制御を繰り返して行っている（図２中に示すＰ３、Ｐ４）。なお、このようにレーザ光源ＬＤの光強度の目標値を徐々に下げていく方法をとれば、ある程度まで（例えば光強度の５０％低下）、観察者ＳＴに映像ＶＭの輝度低下を感じさせることなく、実使用上、問題は生じない。
【００４４】
以上のような制御により、レーザ光源ＬＤの劣化に伴ってレーザ光源ＬＤに流す電流を高くしなければいけない場合でも、制限電流値Ｒ１以上の電流がレーザ光源ＬＤに定常的に流れることがない。このことにより、電流値を高くすることによるレーザ光源ＬＤの加速的な劣化を防止することができ、レーザ光源ＬＤの寿命を延ばすことができる。
【００４５】
以上のように構成された本発明の第１実施形態の映像表示装置１０１における、効果について、以下に説明する。
【００４６】
本発明の第１実施形態の映像表示装置１０１は、電流値検出部７５で検出した電流値が予め電流記憶部Ｋ５に格納されていた所定の制限電流値Ｒ１より大きくなった際に、制御部５５が制限電流値Ｒ１以下の電流を出力してレーザ光源ＬＤ（ＲＬＤ、ＧＬＤ、ＢＬＤ）を制御するので、レーザ光源ＬＤの劣化に伴ってレーザ光源ＬＤに流す電流を高くしなければいけない場合でも、制限電流値Ｒ１以上の電流がレーザ光源ＬＤに定常的に流れることがない。このことにより、電流値を高くすることによるレーザ光源ＬＤの加速的な劣化を防止することができ、レーザ光源ＬＤの寿命を延ばすことができる。
【００４７】
また、レーザ光源ＬＤが複数個設けられているので、観察者ＳＴにより視認される映像ＶＭの表現を豊かにすることができる。更に、複数個のレーザ光源ＬＤに対応して光制御手段Ｍ１５が複数個設けられているので、異なる色で異なる表示画像の面積であっても、それぞれの光制御手段Ｍ１５によりそれぞれのレーザ光源ＬＤへの出力を調整し、表示される映像ＶＭのそれぞれの光強度（輝度）を所望の値に保持することができる。
【００４８】
また、ホログラフィック光学素子４１からの映像光Ｌｆの光強度を光強度検出部３５が検出し、この検出結果に基づいて、レーザ光源駆動部１４の出力を光制御手段Ｍ１５が制御するので、表示される表示画像に対応して、レーザ光源ＬＤへの出力を合わせることができ、表示画像の輝度調整を随時行うことができる。このため、目標の光強度（輝度）に対して正確に光強度（輝度）を合わせることができるとともに、光の利用効率を向上させることができる。このことにより、レーザ光源ＬＤの劣化をより防止することができ、映像表示装置１０１の寿命をより延ばすことができる。
【００４９】
なお、本発明は上記実施形態に限定されるものではなく、例えば次のように変形して実施することができ、これらの実施形態も本発明の技術的範囲に属する。
【００５０】
図４は、本発明の第１実施形態の映像表示装置１０１における、変形例を説明する図であって、図４（ａ）は、図３と比較した変形例１の図であり、図４（ｂ）は、図３と比較した変形例２の図である。
【００５１】
＜変形例１＞
上記第１実施形態では、所定の制限電流値Ｒ１を３回越えたら、レーザ光源ＬＤに流す電流を大幅に下げるようにしたが、図４（ａ）に示すように、３回に限らず、複数回に決めて、制御するようにしても良い。
【００５２】
＜変形例２＞
また、図４（ｂ）に示すように、所定の制限電流値Ｒ１を越えた時間が所定の時間Ｔ１の場合にレーザ光源ＬＤに流す電流を大幅に下げるようにするといった、時間による制御を行うようにしても良い。
【００５３】
＜変形例３＞
上記第１実施形態では、レーザ光源ＬＤとして、赤色（Red）、緑色（Green）、青色（Blue）と３色のレーザ光源ＬＤ（ＲＬＤ、ＧＬＤ、ＢＬＤ）を設けるように好適に構成にしたが、更に、黄色（Yellow）を加えた４色のレーザ光源を設ける構成であっても良く、４色以上のレーザ光源を設ける構成であっても良い。また、逆に１色のレーザ光源のみや、２色のレーザ光源を組み合わせて用いる構成であっても良い。
【００５４】
＜変形例４＞
上記第１実施形態では、画像生成部１１をコヒーレント光を回折させ映像光Ｌｆとするホログラフィック光学素子４１で構成したが、これに限らず、従来例と同じ走査型の画像生成部であっても良い。
【００５５】
＜変形例５＞
上記第１実施形態では、ディフューザ１３をスリッタ５２の光路の後側に好適に配置したが、ディフューザ１３は、フーリエレンズＦＬ１以降の光路に配置されていれば良い。
【００５６】
＜変形例６＞
上記第１実施形態では、車両に搭載されたヘッドアップディスプレイ（ＨＵＤ、Head-Up Display）への適用であったが、これに限るものでなく、例えば、三次元ディスプレイやヘッドマウントディスプレイ（ＨＭＤ、Head Mounted Display）にも適用可能である。
【００５７】
本発明は上記実施の形態に限定されず、本発明の目的の範囲を逸脱しない限りにおいて適宜変更することが可能である。
【符号の説明】
【００５８】
１１    画像生成部
１４、１４Ｒ、１４Ｇ、１４Ｂ  レーザ光源駆動部
３５、３５Ｒ、３５Ｇ、３５Ｂ  光強度検出部
５５    制御部
７５    電流値検出部
Ｌｃ    レーザ光
Ｌｆ    映像光
ＬＤ、ＲＬＤ、ＧＬＤ、ＢＬＤ  レーザ光源
Ｋ５    電流記憶部
Ｍ１５  光制御手段
ＯＰ    光学部材
ＳＴ    観察者
ＶＭ    映像
１０１  映像表示装置
【図１】
2015065392.tif 000003
【図２】
2015065392.tif 000004
【図３】
2015065392.tif 000005
【図４】
2015065392.tif 000006
【図５】
2015065392.tif 000007
【図６】
2015065392.tif 000008